【事件の表示】
　上記当事者間の登録第２７０６５２２号商標の登録取消審判事件について、次のとおり審決する。
【結　論】
　登録第２７０６５２２号商標の指定商品中「洋服，コート，セーター類，ワイシャツ類，寝巻き類，下着，水泳着，水泳帽，和服，ずきん，すげがさ，ナイトキャップ，ヘルメット，帽子」については、その登録を取り消す。
　審判費用は、被請求人の負担とする。
【理　由】
第１　本件商標
　本件登録第２７０６５２２号商標（以下「本件商標」という。）は、別掲のとおりの構成よりなり、昭和６０年２月２０日登録出願、第１７類「被服（運動用特殊被服を除く）、布製身回品（他の類に属するものを除く）、寝具類（寝台を除く）」を指定商品として、平成７年４月２８日に設定登録され、現に有効に存続しているものである。
　
第２　請求人の主張
　請求人は、「本件商標は、その指定商品『洋服，コート，セーター類，ワイシャツ類，寝巻き類，下着，水泳着，水泳帽，和服，ずきん，すげがさ，ナイトキャップ，ヘルメット，帽子』について登録を取り消す。」との審決を求めると申し立て、その理由及び答弁に対する弁駁を要旨以下のように述べ、証拠方法として、甲第１号証及び甲第２号証を提出した。
１　請求の理由
　本件商標は、その指定商品中上記商品について、継続して３年以上日本国内において使用された事実がないから、その登録は、商標法第５０条第１項の規定により取り消されるべきものである。
２　答弁に対する弁駁
（１）乙第１号証の被請求人の現在事項全部証明書によれば、被請求人が履物製造等を主たる業務としていることは窺えるものの、これは、本件商標が請求に係る指定商品に使用されている事実を証するものではない。
（２）乙第２号証の２種類の特注セーターの写真について、被請求人は、乙第６号証の展示会において展示され販売されたものと主張するが、仮に本件商標が表されたと思しき織ネームが付されたセーターが実在していたとしても、本書証によって当該セーターが製造・展示・販売された事実が立証されているわけではない。
　また、前記展示会は、「２００４年春夏商品の展示会」と記載されているところ、これら２種類のセーターは、いずれも春夏物としては、厚手にすぎるのではないかと思われ、季節的には不自然であるし、「特注セーター１」として示された写真では、なぜか織ネーム付近を囲むように横長長方形状をした変色部分が認められる点にも疑問を感じる。
（３）乙第３号証は、国際見本市の案内としているが、最終頁の出展者リストに掲載された被請求人紹介欄（Ｎｏ．２６）には、「展示品目」として「婦人靴」の表示が見られるのみである。
　しかるに、例えば、同頁に掲載された会社（Ｎｏ．１３８／アン　シンンメトリー）紹介欄においては、「展示品目」として「バッグ、小物、帽子、アクセサリー」の表示が見られることに照らせば、被請求人が帽子等を展示していなかったことは明白である。
　なお、乙第５号証は、乙第３号証の１頁と２頁が縮小されて左右逆に配置されただけで、両者は実質的に同一の資料であると思われる。
（４）乙第４号証は、平成１４年１０月７日〜１１日に、乙第６号証は、平成１５年１０月６日〜１０日に、それぞれ開催された展示会の案内状であるとしているが、これらの展示会は、被請求人の社内において行われたものであり、こうした案内状については適宜被請求人等により作成できる程度のものであるから、客観的証拠力に乏しいものである。
　また、前記展示会において、セーター等が展示販売されたという事実が立証されているわけでもない。
（５）乙第７号証は、本件商標の織りテープの写しであるとしている。確かに、そこに表示された図形及び文字は、本件商標と実質的に同一であることは認められるが、皮革等に刻印し切り抜いたと思しきものは「織りテープ」とはいい難いものであるし、先のセーターに付されていると主張されている織ネームとは異質のものである。むしろ、靴に表示されている商標部分を切り抜いたものではないかと思われるが、いずれにしても、請求に係る指定商品に使用されている事実を証するものではないことは明らかである。
（６）以上述べたとおり、乙第１号証ないし乙第７号証のいずれによっても、本件商標が、本件審判請求の日前３年以内に日本国内において、請求に係る指定商品について、現実に使用された事実は明らかにされていないから、被請求人の主張には理由がない。
　
第３　被請求人の答弁
　被請求人は、「本件審判は成り立たない、審判費用は請求人の負担とする、との審決を求める。」と答弁し、その理由及び審尋に対する回答を要旨以下のように述べ、証拠方法として、乙第１号証ないし乙第７号証及び資料１ないし資料３を提出した。
１　被請求人は、設立当初は履物製造・履物及び履物資材の輸出入並びに販売を主業とし、将来の展開として鞄、ハンドバッグ、袋物等、あるいは婦人・紳士用品雑貨の製造及び輸出入並びに販売を企図としている（乙第１号証）。
　被請求人は、国内婦人靴市場において、その高品質及び高機能が支持され、婦人靴の製造及び販売については確固たる基盤も構築されるに至っているが、更なる業容拡大を図るうえから、婦人靴の市場において支持された信用や信頼性を生かして、トータルファッションに関連する製品展開が不可欠となっている。
　本件商標は、被請求人のかかるトータルファッション関連製品の先鞭となる商標であって、具体的製品としてセーターやポーチ、袋物、帽子あるいはクッションについて、昭和６０年３月より東京都渋谷区内のアンテナショップにおいて、さらに昭和６２年４月からは世田谷区成城のアンテナショップでテスト販売を開始してきている。
２　上記テスト販売より、乙第２号証に示すセーターに市場の注目が集まったことから、乙第３号証に示す第２８回ＭＯＤ’Ｓ展（開催日２００４年４月１９日〜２１日）や、乙第４号証に示す２００３　ＳＰＲＩＮＧ＆ＳＵＭＭＥＲ展示会（開催日　平成１４年１０月７日〜１１日）、さらには、乙第５号証に示すＧＥＯＸ展（開催日２００４年４月１９日〜２１日）に、被請求人の主力製品たる婦人靴に付帯して展示もなされ、これらの経緯から本格的販売も可能と判断されるに至ったことから、乙第６号証に示す２００４　ＳＰＲＩＮＧ＆ＳＵＭＭＥＲ展示会（開催日平成１５年１０月６日〜１０日）には、乙第２号証のセーターも展示され、販売もなされている。
　ちなみに、被請求人がその指定商品に付する商標（織りネーム）は、乙第７号証のとおりである。
３　上述のように、被請求人は、その本業とする婦人靴に加えてトータルファッションとして関連する製品の製造並びに販売を既に昭和６０年以後進めてきている事実があり、さらには２００４年〜２００５年にかけての展示会にも多々展示出品もなされている。
　婦人靴の業界においては、特定の展示会以外は、それぞれの製造メーカーで開催するシーズン毎に対応して開催される各メーカー開催の展示会で展示され販売がなされる特質があり、かつ、製品自体がシーズン性に伴ってその色調、柄、デザインがめまぐるしく変更されるものであることから、製品についてのパンフレットやカタログが作成され頒布されることもない。
４　審尋に対する回答
（１）乙第２号証の特注セーターは、「特注」の文字があるところからすれば、大量には製造されていないものと推測されるが、本件審判の請求の登録日（平成１６年６月２日）前３年以内にどの程度製造され、販売されたものであるかについて、納品書・請求書・領収書等の取引書類など客観性を有する資料の提出を求めた審尋に対して、本件商標は、平成７年４月２８日に登録されたものであり、その３年前である平成４年４月から同７年４月までの取引書類は存在しないが、平成５年と同６年分の納品記録があったので、納品書の写しとして、資料２及び資料３を提出する。
　資料２は、平成５年９月２０日、東京都世田谷区祖師谷２丁目５番地に所在の松澤文子に対し、特注セーター（サイズＭ、色相グリーン）を２０，０００円で販売した。
　資料３は、平成６年１０月８日、鳥取県米子市四日市町３７番地に所在の判沢に対し、特注セーター（サイズＬ、色相赤）を２１，０００円で販売した。
（２）乙第３号証ないし乙第６号証（乙第５号証がジェオックスジャパン株式会社の取扱いに係る靴の展示会の案内状であれば、そのことを立証した上で）の展示会において、被請求人がセーターを展示、販売したことが客観的に認められる証拠の提出を求めた審尋に対して、使用に係るセーターは、被請求人の主たる業務である婦人靴の販売に付帯的に展示されたものであり、販売はされていない。したがって、そのカタログ類の作成はなく、立証すべき書証はない。
５　以上のとおり、本件商標に対して、商標法第５０条第１項により登録を取り消すとした審判請求には理由がない。
　
第４　当審の判断
１　商標法第５０条による商標登録の取消審判の請求があったときは、同条第２項の規定により、「その審判の請求の登録前三年以内に日本国内において商標権者、専用使用権者又は通常使用権者のいずれかがその取消に係る指定商品又は指定役務のいずれかについての登録商標の使用をしていることを被請求人が証明しない限り、商標権者は、その指定商品又は指定役務に係る商標登録の取消しを免れない」ところである。
　そこで、乙各号証について検討する。
（１）乙第１号証は、被請求人の現在事項全部証明書であるところ、「目的」欄には、「４．婦人・紳士用品雑貨の製造及び輸出入並びに販売」の記載が認められるものの、その記載により、被請求人が請求に係る指定商品中のいずれかの商品について製造、販売等をし、当該商品に本件商標を使用している事実を証明したことにはなり得ない。
（２）乙第２号証は、「特注セーター１」及び「特注セーター２」の商品写真と認められるところ、これらセーターの衿部に付された、被請求人が主張するところの「織りネーム」は、商標が不鮮明であり、本件商標ないしこれと社会通念上同一と認められる商標が使用されているか明確には把握することができない。また、「特注セーター１」に付された「織りネーム」は、前身ごろの衿部にまでかかっており、一般的な織りネームの付され方と比べ、きわめて不自然なものというべきである。
　この点に関し、被請求人は、審尋に対する回答として、資料１を提出しているが、資料１は、乙第２号証の写真に比べ、商品全体の写りが一層不鮮明であり、資料１によっても、各セーターに付された登録商標は明確に把握することができない。
（３）乙第３号証は、「ＢＵＹＥＲ'Ｓ ＧＵＩＤＥ／わが国最大規模、靴とファッション雑貨の国際見本市」の案内状と認められるところ、出展者リストの「（株）エースコーポレーション」欄には、「展示品目／婦人靴」との表示があるのみであり、これにより本件商標を付したセーターが展示、販売された事実を証明したことにはなり得ない。
　また、「展示品目／婦人靴」の右に「ブランド」として「エース、ミライ、プリフィックス、コバ」の文字が記載されているが、これらのブランドは、この掲載内容からみれば、展示品目である婦人靴のブランドと理解されるものである。
（４）乙第４号証及び乙第６号証は、被請求人の取扱いに係る「２００３年春夏商品」及び「２００４年春夏商品」の展示会の案内状と認められるところ、その文面からは、いかなる商品の展示会であるか把握することができない。したがって、これらは、被請求人が請求に係る指定商品中のいずれかの商品について展示、販売をしていたという事実を証明する証拠とはなり得ない。
　また、乙第６号証には、「ＰＲＩＦＩＸ」、「ＡＣＥ」、「Ｍｉｇ−Ｒａ−Ｉ」、「ｃｏ−ｂａ」が表示されているが、これらは、乙第３号証との関係からみて、靴のブランドと推認される。
（５）乙第５号証について、被請求人は、「ＧＥＯＸ展」であり、この展示会にも「セーター類」を展示した旨主張する。
　しかし、乙第５号証は、乙第３号証（「ＢＵＹＥＲ'Ｓ ＧＵＩＤＥ／わが国最大規模、靴とファッション雑貨の国際見本市」）の案内状の表紙の裏頁と同一のものと認められ、しかも、ジェオックスジャパン株式会社の取扱いに係る靴に関する、単なる広告と認められるものであり、被請求人の取扱いに係るセーターを展示、販売したと認めるに足る表示は見あたらない。
　したがって、乙第５号証は、被請求人が請求に係る指定商品中のいずれかの商品について展示、販売をしていたという事実を証明する証拠とはなり得ない。
（６）乙第７号証は、横長楕円内に本件商標に酷似した商標が表示されているところ、これは、皮革等に焼き印を押し当てたように文字等が表されており、被服等に商標を表示するために一般的に使用される織りネームとはほど遠いものと認められる。
２　被請求人は、本件使用に係る商品であるセーターを、被請求人の主力製品たる婦人靴に付帯して展示し、販売した旨主張しているので、審判長は、審尋をもって、本件審判の請求の登録日（平成１６年６月２日）前３年以内にその事実があったことを客観的に認めることができる証拠を提出するよう求めたところ、被請求人は、前記第３（被請求人の答弁）４（１）のように述べ、以下の資料２及び資料３を提出した。
（１）資料２は、伝票番号を「５９９３０２」とする「納品書（１）」であるところ、これには、「得意先名／松澤文子様」、「出荷日付／５年９月２０日」、「納入者名／株式会社エースコーポレーション　東京都調布市下石原３−２１−３　〒１８２−００３４　電話０４２４−８４−０１５１」、「商品コード・品名／特注セーター」、「Ｃ／グリーン」、「Ｍ」、「数量／１」、「単価／２００００」、「金額／２００００」、「合計／２００００」、「消費税等／６００」、「税込合計／２０６００」との記載がある。
（２）資料３は、伝票番号を「０２５９５１」とする「納品書（１）」であるところ、これには、「得意先名／判沢様」、「出荷日付／６年１０月８日」、「納入者名／株式会社エースコーポレーション　東京都調布市下石原３−２１−３　〒１８２−００３４　電話０４２４−８４−０１５１」、「商品コード・品名／特注セーター 赤」、「Ｌ」、「数量／１」、「単価／２１０００」、「金額／２１０００」、「合計／２１０００」、「消費税等／６３０」、「税込合計／２１６３０」との記載がある。
（３）上記（１）及び（２）で認定した事実及び前記第３（被請求人の答弁）４（１）の主張によれば、資料２及び資料３の納品書（写し）は、前者が平成５年９月２０日のもので、後者が平成６年１０月８日のものと認められ、これは、本件審判の請求の登録前３年以内のものとは認められない。仮に被請求人が「本件審判の請求の登録前３年以内」を「本件商標の設定登録前３年以内」と誤ったものと解したとしても、各納品書の納入者名である「株式会社エースコーポレーション」の郵便番号は、「１８２−００３４」と７桁で表示されており、郵便番号が３桁から７桁の変更されたのは、平成１０年２月であることからすると、これら納品書に記載されたそれぞれの日付は、きわめて疑わしいものといわざるを得ない。
３　以上のとおりであるから、乙第１号証ないし乙第７号証及び資料１ないし資料３を総合してみれば、被請求人が本件請求に係る指定商品中の「セーター」について、本件審判の請求の登録前３年以内に本件商標を使用したと認めることは困難であるというべきである。
　したがって、被請求人は、本件審判の請求の登録前３年以内に日本国内において、商標権者、専用使用権者又は通常使用権者のいずれもが請求に係る指定商品のいずれかについて、本件商標を使用していたことを証明し得なかったのみならず、使用していないことについて正当な理由があることも明らかにしていないといわなければならないから、本件商標の登録は、その指定商品中「洋服，コート，セーター類，ワイシャツ類，寝巻き類，下着，水泳着，水泳帽，和服，ずきん，すげがさ，ナイトキャップ，ヘルメット，帽子」について、商標法第５０条第１項の規定に基づき、取り消すべきものとする。
　よって、結論のとおり審決する。